(57)【要約】【課題】  配送料金が不明の郵便物を郵便局の受付時間外に郵便ポストへ投函して配送料金を後払いできる配送料金支払い代行システムを構築する。【解決手段】郵便物にユーザ識別番号及びユニークな郵便物番号が記入され、また、これらのユーザ識別番号及びユニークな郵便物番号が通信キャリアのユーザ情報登録・認証サーバ１２に登録され、配送料金請求サーバ２２により登録の確認が行われ、ユーザが投函した同郵便物の配送料金の支払いが同通信キャリアの課金サーバ１３により同ユーザに代行して行われると共に、同配送料金及びユーザ端末３０の通信料金が同ユーザに課金されて徴収される。このため、ユーザは、郵便物を投函する場合に切手やタグなどを準備する必要がなく、また、郵便局の受付時間に関わらず郵便物を送ることができ、配送料金の支払いは、ユーザ端末３０の通信料金と一緒に後払いでき、手間を省くことができる。【選択図】図３
2005208865.tif 000002
【特許請求の範囲】
【請求項１】
ユーザにより投函された郵便物の配送料金の支払いを、通信キャリアが当該郵便物に付されたユーザ識別番号及びユニークに付された郵便物番号に基づいて該ユーザに代行して行うと共に該配送料金及びユーザ端末の通信料金を該ユーザに課金して徴収する構成とされていることを特徴とする配送料金支払い代行システム。
【請求項２】
前記ユーザ端末は、
入力された前記ユーザ識別番号及び郵便物番号を通信回線を介して前記通信キャリアへ送信する構成とされ、
前記通信キャリアには、
前記ユーザ識別番号を前記ユーザ端末のネットワークアドレス毎に登録すると共に、前記ユーザ端末から送信された前記郵便物番号を該ユーザ端末のネットワークアドレス毎に登録するユーザ情報登録サーバと、
前記郵便局から前記配送料金の請求があったとき、前記ユーザに代行して該郵便局に支払うと共に、該配送料金及び前記ユーザ端末の通信料金を該ユーザに課金して徴収する課金サーバとが設けられていることを特徴とする請求項１記載の配送料金支払い代行システム。
【請求項３】
前記郵便局には、
前記郵便物に付された前記ユーザ識別番号及び郵便物番号が前記ユーザ情報登録サーバに登録されているか否かを前記通信回線を介して照会し、登録されていることを確認したとき、前記配送料金を前記課金サーバへ請求する配送料金請求サーバが設けられていることを特徴とする請求項２記載の配送料金支払い代行システム。
【請求項４】
ユーザにより投函された郵便物の配送料金の支払いを、通信キャリアが当該郵便物に付されたユーザ識別番号及びユニークに付された郵便物番号に基づいて該ユーザに代行して行うと共に該配送料金及びユーザ端末の通信料金を該ユーザに課金して徴収することを特徴とする配送料金支払い代行方法。
【請求項５】
ユーザ情報登録サーバが、前記ユーザ識別番号を前記ユーザ端末のネットワークアドレス毎に登録するユーザ識別番号登録処理と、
前記ユーザ端末が、入力された前記郵便物番号を通信回線を介して前記通信キャリアへ送信する郵便物番号送信処理と、
前記ユーザ情報登録サーバが、前記ユーザ端末から送信された前記郵便物番号を該ユーザ端末のネットワークアドレス毎に登録する郵便物番号登録処理と、
課金サーバが、前記郵便局から前記配送料金の請求があったとき、前記ユーザに代行して該郵便局に支払うと共に、該配送料金及び前記ユーザ端末の通信料金を該ユーザに課金して徴収する課金処理とを行うことを特徴とする請求項４記載の配送料金支払い代行方法。
【請求項６】
配送料金請求サーバが、前記郵便物に付された前記ユーザ識別番号及び郵便物番号が前記ユーザ情報登録サーバに登録されているか否かを前記通信回線を介して照会し、登録されていることを確認したとき、前記配送料金を前記課金サーバへ請求する配送料金請求処理を行うことを特徴とする請求項５記載の配送料金支払い代行方法。
【請求項７】
コンピュータに請求項１乃至３のうちのいずれか一に記載の配送料金支払い代行システムを制御させるための支払い代行制御プログラム。
【発明の詳細な説明】
【技術分野】
【０００１】
この発明は、配送料金支払い代行システム、配送料金支払い代行方法及び支払い代行制御プログラムに係り、たとえば、配送料金が不明の郵便物を郵便局の受付時間外に投函する場合などに用いて好適な配送料金支払い代行システム、配送料金支払い代行方法及び支払い代行制御プログラムに関する。
【背景技術】
【０００２】
郵便物は、通常、配送料金に見合った切手が貼付されて郵便ポストに投函され、郵便局側で同郵便ポストから収集されて配達されるか、又は、郵便局に持込まれ、ユーザが料金を支払った後に配達されるが、いずれも、配送料金は前払いとなっている。郵便ポストに投函する場合、ユーザがあらかじめ切手を準備しておかなければならないという不便さがある。さらに、郵便物の配送料金は、重さや大きさにより違いがあるため、ユーザにはわかりにくいという問題点がある。また、郵便物を郵便局に持ち込んで料金を支払う場合では、郵便局の受付時間に対する制約がある。このため、配送料金の支払いをユーザに代行して行うシステムが提案されている。
【０００３】
従来、この種の技術としては、たとえば、次のような文献に記載されるものがあった。
特許文献１に記載された配送料金支払い代行システム（同文献１では、「精算管理システム」）では、ユーザ識別情報を記憶させたＩＣタグが郵便物に貼付され、また、ユーザの口座から配送料金が引き落とされることにより、ユーザが配送料金を見積もって切手を貼付する必要がなく、配送経過が容易に把握される。各ＩＣタグは、あらかじめユニークな番号が付与され、サービス終了後に使用不能となる。
【０００４】
特許文献２に記載された配送料金支払い代行システム（同文献２では、「記録扱い郵便システム」）では、差出人は、郵便物を特定するためのＩＤ情報が記録された郵便タグ（たとえば、磁気カード、バーコードラベル、ＩＣタグなど）を郵便物（記録扱い郵便物）に添付して郵便ポストへ投函する。この郵便ポストは、郵便タグの情報を読み出す機能を有するリーダ内蔵型のものであり、通信回線を介して郵便局サーバに接続されている。また、差出人は、投函前又は投函と並行して、ユーザ端末から郵便局サーバに投函郵便物についての情報を送る。郵便局は、この情報から料金を計算してクレジットや口座から引き落とす。このため、ユーザは、郵便局まで出向かなくても、記録扱い郵便物を発送できる。また、配送料金が不明な場合でも、投函後に電子決済される。
【特許文献１】特開２００３−６７６４５号公報（第４頁、第６頁、図４）
【特許文献２】特開２００２−２３６７２６号公報（要約書、図１）
【発明の開示】
【発明が解決しようとする課題】
【０００５】
しかしながら、上記従来の配送料金支払い代行システムでは、次のような問題点があった。
すなわち、特許文献１に記載された配送料金支払い代行システムでは、ＩＣタグを郵便物に貼付する必要があるが、同ＩＣタグは、切手と同様に、ユーザが購入する必要があるものであり、販売店がユーザの近辺になければ、必要時に即座に購入できないことが多い。このため、郵便物を急いで投函する必要がある場合には、対応できないという問題点がある。
【０００６】
また、特許文献２に記載された配送料金支払い代行システムでも、郵便タグが必要であり、上記特許文献１と同様の問題点がある他、郵便ポストがリーダ内蔵型で郵便局サーバに接続される特殊仕様のものが必要となり、実現は容易ではないという問題点がある。
【課題を解決するための手段】
【０００７】
上記課題を解決するために、請求項１記載の発明は、配送料金支払い代行システムに係り、ユーザにより投函された郵便物の配送料金の支払いを、通信キャリアが当該郵便物に付されたユーザ識別番号及びユニークに付された郵便物番号に基づいて該ユーザに代行して行うと共に該配送料金及びユーザ端末の通信料金を該ユーザに課金して徴収する構成とされていることを特徴としている。
【０００８】
請求項２記載の発明は、請求項１記載の配送料金支払い代行システムに係り、前記ユーザ端末は、入力された前記ユーザ識別番号及び郵便物番号を通信回線を介して前記通信キャリアへ送信する構成とされ、前記通信キャリアには、前記ユーザ識別番号を前記ユーザ端末のネットワークアドレス毎に登録すると共に、前記ユーザ端末から送信された前記郵便物番号を該ユーザ端末のネットワークアドレス毎に登録するユーザ情報登録サーバと、前記郵便局から前記配送料金の請求があったとき、前記ユーザに代行して該郵便局に支払うと共に、該配送料金及び前記ユーザ端末の通信料金を該ユーザに課金して徴収する課金サーバとが設けられていることを特徴としている。
【０００９】
請求項３記載の発明は、請求項２記載の配送料金支払い代行システムに係り、前記郵便局には、前記郵便物に付された前記ユーザ識別番号及び郵便物番号が前記ユーザ情報登録サーバに登録されているか否かを前記通信回線を介して照会し、登録されていることを確認したとき、前記配送料金を前記課金サーバへ請求する配送料金請求サーバが設けられていることを特徴としている。
【００１０】
請求項４記載の発明は、配送料金支払い代行方法に係り、ユーザにより投函された郵便物の配送料金の支払いを、通信キャリアが当該郵便物に付されたユーザ識別番号及びユニークに付された郵便物番号に基づいて該ユーザに代行して行うと共に該配送料金及び前記ユーザ端末の通信料金を該ユーザに課金して徴収することを特徴としている。
【００１１】
請求項５記載の発明は、請求項４記載の配送料金支払い代行方法に係り、ユーザ情報登録サーバが、前記ユーザ識別番号を前記ユーザ端末のネットワークアドレス毎に登録するユーザ識別番号登録処理と、前記ユーザ端末が、入力された前記郵便物番号を通信回線を介して前記通信キャリアへ送信する郵便物番号送信処理と、前記ユーザ情報登録サーバが、前記ユーザ端末から送信された前記郵便物番号を該ユーザ端末のネットワークアドレス毎に登録する郵便物番号登録処理と、課金サーバが、前記郵便局から前記配送料金の請求があったとき、前記ユーザに代行して該郵便局に支払うと共に、該配送料金及び前記ユーザ端末の通信料金を該ユーザに課金して徴収する課金処理とを行うことを特徴としている。
【００１２】
請求項６記載の発明は、請求項５記載の配送料金支払い代行方法に係り、配送料金請求サーバが、前記郵便物に付された前記ユーザ識別番号及び郵便物番号が前記ユーザ情報登録サーバに登録されているか否かを前記通信回線を介して照会し、登録されていることを確認したとき、前記配送料金を前記課金サーバへ請求する配送料金請求処理を行うことを特徴としている。
【００１３】
請求項７記載の発明は、支払い代行制御プログラムに係り、コンピュータに請求項１乃至３のうちのいずれか一に記載の配送料金支払い代行システムを制御させることを特徴としている。
【発明の効果】
【００１４】
この発明の構成によれば、ユーザにより投函された郵便物の配送料金の支払いを、通信キャリアが当該郵便物に付されたユーザ識別番号及びユニークに付された郵便物番号に基づいて同ユーザに代行して行うと共に同配送料金及びユーザ端末の通信料金を同ユーザに課金して徴収するので、ユーザは、郵便物を投函する場合に切手やタグなどを準備する必要がなく、また、郵便局の受付時間に関わらず任意の時刻に郵便物を送ることができる。また、郵便物にユーザ識別番号及びユニークな郵便物番号が付され、これらのユーザ識別番号及びユニークな郵便物番号が通信キャリアのユーザ情報登録サーバに登録され、郵便局の配送料金請求サーバにより登録の確認が行われるので、ユーザが投函した同郵便物の配送料金の支払いが同通信キャリアの課金サーバにより同ユーザに代行して行われると共に、同配送料金及びユーザ端末の通信料金が同ユーザに課金されて徴収される。このため、ユーザは、切手やタグなどを準備することなく、配送料金が不明の郵便物を郵便局の受付時間外に郵便ポストへ投函して送ることができ、また、同配送料金の支払いは、ユーザ端末の通信料金と一緒に後払いでき、手間を省くことができる。
【発明を実施するための最良の形態】
【００１５】
ＩＣタグなどを用いずに、郵便物毎に付されたユニークな郵便物番号に基づいて各郵便物を特定することにより、配送料金の支払いを通信キャリアがユーザに代行して行う配送料金支払い代行システムを提供する。
【実施例】
【００１６】
図１は、この発明の実施例である配送料金支払い代行システムの電気的構成を示すブロック図である。
この例の配送料金支払い代行システムは、ユーザ（差出人）が投函した封書などの郵便物の配送料金の支払いを、通信キャリアが同ユーザに代行して行うと共に同配送料金及びユーザ端末の通信料金を同ユーザに課金して徴収する構成となっている。すなわち、この配送料金支払い代行システムは、同図に示すように、通信キャリア（たとえば、携帯電話会社などの通信事業者）に設けられた郵便局認証サーバ１１、ユーザ情報登録・認証サーバ１２及び課金サーバ１３と、郵便局に設けられた読取り装置２１及び配送料金請求サーバ２２と、ユーザ端末３０とから構成され、これらの郵便局認証サーバ１１、ユーザ情報登録・認証サーバ１２、課金サーバ１３、配送料金請求サーバ２２、及びユーザ端末３０がインターネットＮＷに接続されている。また、この実施例では、郵便物Ｍには、ユーザ識別番号及び当該郵便物Ｍ毎にユニークに郵便物番号が記入されている。
【００１７】
郵便局認証サーバ１１は、郵便局の配送料金請求サーバ２２からの所定の認証用プロトコルに基づくアクセスのみを受け付けてユーザ情報登録・認証サーバ１２へ転送する。ユーザ情報登録・認証サーバ１２は、ユーザ識別番号をユーザ端末３０のネットワークアドレス毎に登録すると共に、ユーザ端末３０から送信された郵便物番号を同ユーザ端末３０のネットワークアドレス毎にユーザ情報として登録する他、配送料金請求サーバ２２から郵便局認証サーバ１１を介したアクセスに対応する。また、ユーザ情報登録・認証サーバ１２は、ユーザ端末３０からユーザ識別番号が送信されたとき、同ユーザ識別番号と既に登録されているユーザ識別番号との照合を行い、一致する場合、認証完了メッセージをユーザ端末３０へ送信する。課金サーバ１３は、たとえばパーソナルコンピュータなどの情報処理装置であり、同課金サーバ１３全体を制御するＣＰＵ（中央処理装置）１３ａ及び同ＣＰＵ１３ａを動作させるための支払い代行制御プログラムが記録されたＲＯＭ（リード・オンリ・メモリ）１３ｂを有している。特に、この実施例では、課金サーバ１３は、郵便局の配送料金請求サーバ２２から配送料金の請求があったとき、ユーザに代行して同郵便局に支払うと共に、同配送料金及びユーザ端末３０の通信料金を同ユーザに課金して徴収する。
【００１８】
読取り装置２１は、たとえばＯＣＲ（Optical Character Reader）で構成され、郵便物Ｍに記入されているユーザ識別番号及び郵便物番号を読み取る。配送料金請求サーバ２２は、たとえばパーソナルコンピュータなどの情報処理装置であり、同配送料金請求サーバ２２全体を制御するＣＰＵ２２ａ及び同ＣＰＵ２２ａを動作させるための支払い代行制御プログラムが記録されたＲＯＭ２２ｂを有している。特に、この実施例では、配送料金請求サーバ２２は、郵便物Ｍに記入されたユーザ識別番号及び郵便物番号が通信キャリアのユーザ情報登録・認証サーバ１２に登録されているか否かをインターネットＮＷを介して照会し、登録されていることを確認したとき、当該の郵便物Ｍの配送料金を課金サーバ１３へ請求する。
【００１９】
ユーザ端末３０は、たとえば携帯電話機で構成され、図示しない無線基地局と無線接続され、かつ同無線基地局、図示しない在圏移動通信交換局、関門移動通信交換局、及び通常の電話回線などを介してインターネットＮＷに接続されている。特に、この実施例では、ユーザ端末３０は、郵便物Ｍに記入されたユーザ識別番号及び郵便物番号が図示しない操作部から入力され、インターネットＮＷを介して通信キャリアのユーザ情報登録・認証サーバ１２へ送信する。なお、ユーザ端末３０が携帯電話機である場合、ユーザ端末３０のネットワークアドレスは、電話番号である。
【００２０】
図２及び図３は、図１の配送料金支払い代行システムの動作を説明するシーケンス図、図４は、ユーザ識別番号及び郵便物番号が記入された郵便物Ｍの表面を示す図、図５は、ユーザ識別番号を入力するときの表示画面を示す図、及び図６が郵便物番号を入力するときの表示画面を示す図である。
これらの図を参照して、この例の配送料金支払い代行方法の処理内容について説明する。
まず、図２に示すように、ユーザ端末３０からユーザ識別番号（たとえば、“ＡＢＣＤＥＦ”）が図示しない操作部から入力され、図５に示すように、表示画面に表示されると共に、インターネットＮＷを介して通信キャリアのユーザ情報登録・認証サーバ１２へ送信される（ステップＡ１）。ユーザ識別番号（“ＡＢＣＤＥＦ”）は、ユーザ情報登録・認証サーバ１２で受信されてユーザ端末３０のネットワークアドレス（電話番号、たとえば“０１２３−４５６−７８９０”）と１対１に対応させて登録される（ステップＡ２、ユーザ識別番号登録処理）。ユーザ識別番号が登録されると、ユーザ情報登録・認証サーバ１２から登録完了メッセージがインターネットＮＷを介してユーザ端末３０へ送信され（ステップＡ３）、同ユーザ端末３０で受信される（ステップＡ４）。
【００２１】
郵便物Ｍには、図４に示すように、所定の欄にユーザ識別番号（“ＡＢＣＤＥＦ”）及び当該郵便物Ｍにユニークに郵便物番号（たとえば、“ＧＩＦＴ０１”）が記入されている。ユーザは、郵便物Ｍを郵便ポストに投函する前に、図３に示すように、ユーザ端末３０からユーザ識別番号（“ＡＢＣＤＥＦ”）を図示しない操作部から入力する。このとき、図５に示すように、ユーザ識別番号が表示画面に表示されると共に、インターネットＮＷを介して通信キャリアのユーザ情報登録・認証サーバ１２へ送信される（ステップＢ１）。ユーザ識別番号は、ユーザ情報登録・認証サーバ１２で受信され（ステップＢ２）、既に登録されているユーザ識別番号と照合され、一致した場合、認証完了メッセージがインターネットＮＷを介してユーザ端末３０へ送信され（ステップＢ３）、同ユーザ端末３０で受信される（ステップＢ４）。また、ユーザ端末３０から郵便物番号（“ＧＩＦＴ０１”）が図示しない操作部から入力され、図６に示すように、表示画面に表示されると共に、インターネットＮＷを介して通信キャリアのユーザ情報登録・認証サーバ１２へ送信される（ステップＢ５、郵便物番号送信処理）。郵便物番号（“ＧＩＦＴ０１”）は、ユーザ情報登録・認証サーバ１２で受信されてユーザ端末３０のネットワークアドレス（電話番号“０１２３−４５６−７８９０”）とセットで登録される（ステップＢ６、郵便物番号登録処理）。郵便物番号が登録されると、ユーザ情報登録・認証サーバ１２から登録完了メッセージがインターネットＮＷを介してユーザ端末３０へ送信され（ステップＢ７）、同ユーザ端末３０で受信される（ステップＢ８）。
【００２２】
この後、ユーザは、上記ユーザ識別番号及び郵便物番号が記入された郵便物Ｍを郵便ポストに投函する。郵便物Ｍは、郵便局により収集される。郵便局では、読取り装置２１により、収集した郵便物Ｍのユーザ識別番号及び郵便物番号が読み取られる（ステップＢ９）。なお、この読取りが不可能な場合は、郵便局の担当者が目視により読み取る。そして、読み取られたユーザ識別番号及び郵便物番号は、配送料金請求サーバ２２により、ユーザ情報登録・認証サーバ１２に登録されているか否かがインターネットＮＷを介して照会される（ステップＢ１０）。この場合、配送料金請求サーバ２２から郵便局認証サーバ１１へ認証用プロトコルに基づいてアクセスされ、認証が行われたときにユーザ情報登録・認証サーバ１２に照会のアクセスが行われる（ステップＢ１１）。このとき、ユーザ情報登録・認証サーバ１２では、ユーザ識別番号に基づいてユーザ端末３０の電話番号が検索される。たとえば、ユーザ識別番号“ＡＢＣＤＥＦ”に基づいて電話番号“０１２３−４５６−７８９０”が検索される。次に、電話番号と郵便物番号“ＧＩＦＴ０１”がセットでユーザ情報登録・認証サーバ１２に登録されているか否かが確認される。そして、電話番号と郵便物番号がセットで登録されていることが確認されたとき、郵便局の配送料金請求サーバ２２に登録確認完了の返信が行われる（ステップＢ１２）。
【００２３】
この後、郵便局では、郵便物Ｍを目的地へ配送し、配送料金請求サーバ２２から課金サーバ１３へ当該ユーザ識別番号及び郵便物番号の郵便物Ｍに対する配送料金が請求される（ステップＢ１３、配送料金請求処理）。このときの配送料金の請求額は、たとえば、代行手数料金を差し引いた額（ユーザヘ請求する配送料金−代行手数料金）となる。すなわち、配送料金請求サーバ２２は、課金サーバ１３に対して、ユーザ識別番号“ＡＢＣＤＥＦ”及び郵便物番号“ＧＩＦＴ０１”に対応した配送料金９０円（すなわち、ユーザヘ請求する配送料金１００円−代行手数料金１０円）を請求する。
【００２４】
課金サーバ１３では、郵便局の配送料金請求サーバ２２から配送料金の請求があったとき、ユーザに代行して同郵便局に支払い（ステップＢ１４）、同配送料金及びユーザ端末３０の通信料金を同ユーザに課金して徴収する（ステップＢ１５、課金処理）。この場合、課金サーバ１３は、たとえば、郵便局へ手数料を差し引いた配送料金を支払い、ユーザに対しては、配送料金を通信料として課金する。すなわち、課金サーバ１３は、郵便局へ９０円支払い、電話番号“０１２３−４５６−７８９０”のユーザに対して、配送料金１００円を通信料として課金する。この課金は、たとえば、ユーザの預金口座などから引き落とすことによって行われる。この引き落としが確認された後、課金サーバ１３からユーザ情報登録・認証サーバ１２にアクセスされ、登録されている当該郵便物番号が抹消される。このように、この実施例の配送料金支払い代行方法では、ユーザが投函した郵便物Ｍの配送料金の支払いが通信キャリアの課金サーバ１３により同ユーザに代行して行われると共に、同配送料金及びユーザ端末３０の通信料金が同ユーザに課金されて徴収される。
【００２５】
以上のように、この実施例では、郵便物Ｍにユーザ識別番号及びユニークな郵便物番号が記入され、また、これらのユーザ識別番号及びユニークな郵便物番号が通信キャリアのユーザ情報登録・認証サーバ１２に登録され、配送料金請求サーバ２２により登録の確認が行われるので、ユーザが投函した同郵便物Ｍの配送料金の支払いが同通信キャリアの課金サーバ１３により同ユーザに代行して行われると共に、同配送料金及びユーザ端末３０の通信料金が同ユーザに課金されて徴収される。このため、ユーザは、切手やタグなどを準備することなく、配送料金が不明の郵便物Ｍを郵便局の受付時間外に郵便ポストへ投函して送ることができ、また、同配送料金の支払いは、ユーザ端末３０の通信料金と一緒に後払いでき、手間を省くことができる。
【００２６】
以上、この発明の実施例を図面により詳述してきたが、具体的な構成はこの実施例に限られるものではなく、この発明の要旨を逸脱しない範囲の設計の変更などがあっても、この発明に含まれる。
たとえば、通信回線は、インターネットＮＷの他、通信キャリアと郵便局とを接続する専用回線でも良い。また、通信キャリアの課金サーバ１３からユーザに請求する配送料金は、同通信キャリア側の任意の料金（たとえば、同通信キャリア側が奉仕することにより、手数料を無料とする）で良い。また、ユーザ端末３０は、たとえばパーソナルコンピュータなどでも良い。この場合、パーソナルコンピュータは、プロバイダを介してインターネットＮＷに接続される。また、ユーザ端末３０のネットワークアドレスは、ユーザの電話番号の他、Ｅメールアドレスなどでも良い。また、図２中のステップＡ２は、文書のやりとりなどによる手続きでも良い。また、図３中のステップＢ１４，Ｂ１５は、順序が逆でも良い。
【産業上の利用可能性】
【００２７】
小荷物を受け付ける郵便ポストが設けられたとき、この発明は、封書に限らず、小荷物を送る場合にも適用できる。
【図面の簡単な説明】
【００２８】
【図１】この発明の実施例である配送料金支払い代行システムの電気的構成を示すブロック図である。
【図２】図１の配送料金支払い代行システムの動作を説明するシーケンス図である。
【図３】図１の配送料金支払い代行システムの動作を説明するシーケンス図である。
【図４】ユーザ識別番号及び郵便物番号が記入された郵便物Ｍの表面を示す図である。
【図５】ユーザ識別番号を入力するときの表示画面を示す図である。
【図６】郵便物番号を入力するときの表示画面を示す図である。
【符号の説明】
【００２９】
１１      郵便局認証サーバ
１２      ユーザ情報登録・認証サーバ（ユーザ情報登録サーバ）
１３      課金サーバ
１３ａ      ＣＰＵ（中央処理装置、課金サーバの一部）
１３ｂ      ＲＯＭ（リード・オンリ・メモリ、課金サーバの一部）
２１      読取り装置
２２      配送料金請求サーバ
２２ａ      ＣＰＵ（配送料金請求サーバの一部）
２２ｂ      ＲＯＭ（配送料金請求サーバの一部）
３０      ユーザ端末
ＮＷ      インターネット（通信回線）
【図１】
2005208865.tif 000003
【図２】
2005208865.tif 000004
【図３】
2005208865.tif 000005
【図４】
2005208865.tif 000006
【図５】
2005208865.tif 000007
【図６】
2005208865.tif 000008